(57)【要約】      （修正有）【課題】患者の生体信号に対し、任意のタイミングで監視している生体信号にコメントを付加して登録すると共に、登録された生体信号に関するデータを任意のタイミングにおいて表示することができる生体モニタ情報の登録・表示システムを提供する。【解決手段】  ベッドサイドモニタ、セントラルモニタ等の各モニタと、その他の携帯用ないし汎用の情報端末装置等を設けてなる生体情報モニタシステムを、コンピュータネットワークによりそれぞれ相互にアクセス可能に接続する。各モニタは生体信号の一部を任意のタイミングで指定すると共に生体信号にコメントを付加する機能と、これらをモニタ情報としてコンピュータネットワークのサーバーに登録する機能とを備え、情報端末装置等は生体モニタ情報をこれに対し付加されたコメントに基づいて検索する機能と、検索機能により検索された生体モニタ情報を表示する機能とを備える。【選択図】  図１
2005095469.tif 000002
【特許請求の範囲】
【請求項１】
病棟やＩＣＵ、手術室等において、患者の生体信号を監視するベッドサイドモニタやセントラルモニタ等の各モニタと、その他の携帯用ないし汎用の情報端末装置等とを設けてなる生体情報モニタシステムを、コンピュータネットワークによりそれぞれ相互にアクセス可能に接続構成し、
前記各モニタおよび／または前記情報端末装置等には、リアルタイムで測定される生体信号の一部を任意のタイミングで指定すると共にこの指定された生体信号についてコメントを付加する機能と、前記指定された生体信号の一部とこれに付加されたコメントとを生体モニタ情報としてコンピュータネットワークのサーバーに登録する機能とが備えられ、  前記情報端末装置等には、前記生体モニタ情報を、これに対し付加されたコメントに基づいて検索する機能と、該検索機能により検索された生体モニタ情報を表示する機能とが備えられていることを特徴とする生体モニタ情報の登録・表示システム。
【請求項２】
病棟やＩＣＵ、手術室等において、患者の生体信号を監視するベッドサイドモニタやセントラルモニタ等の各モニタと、その他の携帯用ないし汎用の情報端末装置等とを設けてなる生体情報モニタシステムを、コンピュータネットワークによりそれぞれ相互にアクセス可能に接続構成し、
前記各モニタおよび／または前記情報端末装置等には、リアルタイムで測定される生体信号の一部を任意のタイミングで指定すると共にこの指定された生体信号についてコメントを付加する機能と、前記指定された生体信号の一部とこれに付加されたコメントとを生体モニタ情報としてコンピュータネットワークのサーバーに登録する機能と、前記コンピュータネットワークに接続されたメールサーバーによりメールアドレスを指定して電子メールで前記生体モニタ情報を送信させる機能とが備えられ、
前記情報端末装置等には、前記電子メールで送信された前記生体モニタ情報を受信して表示する機能が備えられていることを特徴とする生体モニタ情報の登録・表示システム。
【請求項３】
病棟やＩＣＵ、手術室等において、患者の生体信号を監視するベッドサイドモニタやセントラルモニタ等の各モニタと、その他の携帯用ないし汎用の情報端末装置等とを設けてなる生体情報モニタシステムを、コンピュータネットワークによりそれぞれ相互にアクセス可能に接続構成し、
前記各モニタおよび／または前記情報端末装置等には、リアルタイムで測定される生体信号の一部を任意のタイミングで指定すると共にこの指定された生体信号についてコメントを付加する機能と、前記指定された生体信号の一部とこれに付加されたコメントとを生体モニタ情報としてコンピュータネットワークのサーバーに登録する機能と、前記生体モニタ情報を検索するための索引情報を前記コンピュータネットワークに接続されたメールサーバーによりメールアドレスを指定して電子メールで送信させる機能とが備えられ、
前記情報端末装置等には、前記電子メールで送信された前記索引情報を受信し、該索引情報を使用することにより前記生体モニタ情報を受信して表示する機能が備えられていることを特徴とする生体モニタ情報の登録・表示システム。
【請求項４】
ＵＲＬを割り当てて送受信を行うことができるＷｅｂサーバーをさらに備え、前記索引情報として、前記生体モニタ情報を検索するためのＵＲＬが設定されていることを特徴とする請求項３記載の生体モニタ情報の登録・表示システム。
【請求項５】
前記生体信号に付加するコメントは、フリーテキストで入力すること、予め登録されているコメントから選択すること、もしくは予め登録されているコメントを選択してその一部をフリーテキストで修正ないし追加することにより、作成することができるように設定されていることを特徴とする請求項１ないし４のいずれかに記載の生体モニタ情報の登録・表示システム。
【請求項６】
前記生体モニタ情報は、前記コメントに加えて、緊急性を示す重要度を登録することができるように設定されていることを特徴とする請求項１ないし５のいずれかに記載の生体モニタ情報の登録・表示システム。
【請求項７】
前記生体モニタ情報は、登録されている生体モニタ情報の日時、コメント、患者名等のインデックスを使用して検索することができるように設定されていることを特徴とする請求項１記載の生体モニタ情報の登録・表示システム。
【発明の詳細な説明】
【技術分野】
【０００１】
本発明は、病棟やＩＣＵ（集中治療室）、手術室等において患者の生体信号を継続的に測定する生体情報モニタシステムにおいて、モニタ中の医師や看護師等が、任意のタイミングにおける生体情報の一部を指定し、その状態についてのコメントを付加して登録することができると共に、これらの登録された生体情報を、コンピュータネットワークシステムにより伝送ないし転送し、各種の情報端末装置により場所等に制約されず随時参照することができるように構成した、生体モニタ情報の登録・表示システムに関するものである。
【背景技術】
【０００２】
従来より、生体情報のモニタシステムとしては、心電図、脈波、血圧、脳波等の生体情報を経時的にリアルタイムで表示するように構成した生体情報モニタシステムが、種々提案され実用化されている。
【０００３】
例えば、患者の生体信号が予め設定した監視項目の生体異常を示すときに、アラームとして検出して、これを報知する際に、アラームの発生日時およびアラーム名を対応付けてアラーム情報として記憶し、任意のタイミングで記憶されたアラーム情報を読み出して画面にリスト表示するように構成した患者監視装置が提案されている（特許文献１参照）。
【０００４】
また、患者監視装置として、セントラル心電図モニタ装置の場合、一般入院患者においては、監視すべき監視項目が患者毎にまちまちであり、また異常検知レベルも患者毎に様々である。そこで、一般的に設定された異常検知レベルとなったときに必ずアラームを出すように設定すれば、あちこちの患者からのアラームが必要もないのに頻繁に発生するといった事態となったり、あるいは異常検知レベルを高めに設定しておけば、緊急を要する状態に陥っているにも拘らず、アラームが出ないといった危険な事態を招くことになる。そこで、この種の心電図記録モニタ装置において、心拍数についての上限値や下限値、期外収縮連発数閾値、アラームの有無等の心電図分類条件を設定し、得られた心電図データを心電図分類条件に従って分類分けして記憶し、さらにアラームを行うかどうかを判断するように構成して、様々な患者の一人ひとりに即応した、きめ細かい監視および診断を行うことができるようにした心電図記録モニタ装置が提案されている（特許文献２参照）。
【０００５】
さらに、患者に対する医療情報を獲得するために、病院や診療所において、患者の各種生体情報を検出ないし測定するための種々のヘルスケア装置が使用され、これらのヘルスケア装置は医療情報をコンピュータシステムに転送するアクセス機構を有している。そして、前記アクセス機構は、通常特定のヘルスケア装置のために特に設計される専有のインタフェースを有するコンピュータシステムを必要とする。このため、ヘルスケア装置へのアクセス方法は、専有のインタフェースを有するコンピュータシステムを利用できない環境には、適していない。そこで、オープンネットワークプロトコルを用いて、通信ネットワークを介して汎用アクセス可能なヘルスケア装置を構成することにより、ヘルスケア装置に保持される医療情報をより広くアクセス可能にして、より早く入手可能なものとしたヘルスケア装置が提案されている（特許文献３参照）。
【０００６】
そして、患者の生体情報という機密情報のセキュリティ管理を適正に行うために、患者の生体情報を測定するための患者側端末と、前記患者側端末で測定された生体情報を遠隔地にて閲覧し、迅速かつ効率的な医療行為を行うための医師側端末と、前記患者側端末で測定された生体情報を蓄積あるいは加工して前記医師側端末にその医療情報を提供するためのセンターサーバーおよびそれを運用管理するための管理用端末とを、通信ネットワークで接続することにより、センターサーバーに蓄積された生体情報などの機密情報へのアクセスを、予めセンターサーバーに登録された患者側端末および医師側端末に限定して、セキュリティ管理を実現することができるように構成した、健康診断ネットワークシステムが提案されている（特許文献４参照）。
【０００７】
【特許文献１】特開平９−１３１３２４号公報
【特許文献２】特開平４−３３８４５５号公報
【特許文献３】特開平１１−８５８９１号公報
【特許文献４】特開２００２−８３０６６号公報
【発明の開示】
【発明が解決しようとする課題】
【０００８】
前述したように、現在利用されている生体情報モニタシステムにおいては、自動解析に基づいた手法により、患者の生体モニタ情報から一定のリストを作成することは可能である。しかし、実際の臨床においては、生体情報としての波形のパターン認識による自動解析では、異常波形を見逃すことがないようにするために、波形の判定レベルを安全サイドに設定しているので、ノイズ等の影響もアラームとして認識する惧れがある。この場合、アラームとして捉えると、その診断名を間違えているために、後からアラームのリストを参照する時に、参照すべき波形を探すのが非常に面倒となるばかりでなく、参照すべき波形を見逃してしまう惧れがある。
【０００９】
一方、病院における運用によって、予め設定された所定時刻に定時的に、患者の生体情報としての波形を記録して、時系列的に比較をするケースが多々ある。この場合に、前記所定時刻を設定して、モニタ装置が自動的に波形を保存するようにした運用においては、その所定時刻にノイズが発生したり、患者の状態によって偶然に頻脈になったりすることもある。従って、患者の正常なその日の心電図波形を登録するには、看護師等が波形を確認した上で、その日の心電図を登録することが望ましい。
【００１０】
また、現在利用されている生体情報モニタシステムにおいては、電子化されて保存された患者の生体情報としての波形は、モニタ装置上で確認することはできても、セキュリティ等の関係で、電子カルテシステムで使用されるパソコンや遠隔地において、これらを確認することができない難点がある。すなわち、現在利用されている生体情報モニタシステムは、患者の所属する病棟に接続設定されたモニタシステムのみでしか、保存された患者の生体情報を確認することができない。
【００１１】
例えば、患者の所属する病棟において、患者の心電図波形を見ているのは看護師であることが多いが、その最終的な診断やその後の処置は、医師に委ねる場合が一般的である。特に、危険な不整脈が発生した時は、即座に医師に診断および指示を仰がなければならない。しかし、医師は、医局や他の病棟、あるいは外出している場合があるため、その都度モニタシステムの設定されている病棟に足を運んで、心電図波形を診断してもらうことは、現実的に不可能である。
【００１２】
そこで、本発明者は鋭意研究並びに検討を重ねた結果、例えば心電図モニタ装置により、患者の心電図をリアルタイムで監視している医療従事者が、任意のタイミングで監視している心電図の一部を指定して、診断名等のコメントを書き込んで登録することができるようにすると共に、この登録された心電図データを、医療従事者において、任意のタイミングにおいて所要の情報端末装置により場所等に制約されずに参照して必要な診断を行うことができるようにしたコンピュータネットワークを構築することにより、前述した多くの問題点を解消することができることを突き止めた。
【００１３】
そして、この場合におけるコンピュータネットワークの構築に際しては、例えば患者に対し生体信号検出器を介して接続された生体信号を測定するベッドサイドモニタ、これらのベッドサイドモニタと接続されてナースステーション等で測定された生体信号を表示するセントラルモニタ、無線ＬＡＮ等で接続されたリアルタイムのモニタ情報を監視することができる携帯用情報端末装置（ＰＤＡ）、サーバーを介してリアルタイムの生体信号を監視することができる汎用情報端末装置（ＰＣ）等を、それぞれ相互にアクセス可能に使用することができるようにすると共に、生体信号に関するモニタ情報を円滑に伝送し得る通信ネットワークを構築することによって、前記システムを容易に実現することができることを突き止めた。
【００１４】
従って、本発明の目的は、リアルタイムで監視している患者の生体信号に対し、任意のタイミングで監視している生体信号の一部を指定して、これにコメントを付加して登録することができると共に、登録された生体信号に関するデータを任意のタイミングにおいて所要の情報端末装置により場所等に制約されずに参照することができるようにコンピュータネットワークを構築して、生体情報モニタシステムとしての機能を向上することができる生体モニタ情報の登録・表示システムを提供することにある。
【課題を解決するための手段】
【００１５】
前記目的を達成するため、本発明の請求項１に記載の生体モニタ情報の登録・表示システムは、病棟やＩＣＵ、手術室等において、患者の生体信号を監視するベッドサイドモニタやセントラルモニタ等の各モニタと、その他の携帯用ないし汎用の情報端末装置等とを設けてなる生体情報モニタシステムを、コンピュータネットワークによりそれぞれ相互にアクセス可能に接続構成し、
前記各モニタおよび／または前記情報端末装置等には、リアルタイムで測定される生体信号の一部を任意のタイミングで指定すると共にこの指定された生体信号についてコメントを付加する機能と、前記指定された生体信号の一部とこれに付加されたコメントとを生体モニタ情報としてコンピュータネットワークのサーバーに登録する機能とが備えられ、  前記情報端末装置等には、前記生体モニタ情報を、これに対し付加されたコメントに基づいて検索する機能と、該検索機能により検索された生体モニタ情報を表示する機能とが備えられていることを特徴とする。
【００１６】
本発明の請求項２に記載の生体モニタ情報の登録・表示システムは、前記各モニタおよび／または前記情報端末装置等には、リアルタイムで測定される生体信号の一部を任意のタイミングで指定すると共にこの指定された生体信号についてコメントを付加する機能と、前記指定された生体信号の一部とこれに付加されたコメントとを生体モニタ情報としてコンピュータネットワークのサーバーに登録する機能と、前記コンピュータネットワークに接続されたメールサーバーによりメールアドレスを指定して電子メールで前記生体モニタ情報を送信させる機能とが備えられ、前記情報端末装置等には、前記電子メールで送信された前記生体モニタ情報を受信して表示する機能が備えられていることを特徴とする。
【００１７】
本発明の請求項３に記載の生体モニタ情報の登録・表示システムは、前記各モニタおよび／または前記情報端末装置等には、リアルタイムで測定される生体信号の一部を任意のタイミングで指定すると共にこの指定された生体信号についてコメントを付加する機能と、前記指定された生体信号の一部とこれに付加されたコメントとを生体モニタ情報としてコンピュータネットワークのサーバーに登録する機能と、前記生体モニタ情報を検索するための索引情報を前記コンピュータネットワークに接続されたメールサーバーによりメールアドレスを指定して電子メールで送信させる機能とが備えられ、前記情報端末装置等には、前記電子メールで送信された前記索引情報を受信し、該索引情報を使用することにより前記生体モニタ情報を受信して表示する機能が備えられていることを特徴とする。
【００１８】
本発明の請求項４に記載の生体モニタ情報の登録・表示システムは、ＵＲＬを割り当てて送受信を行うことができるＷｅｂサーバーをさらに備え、前記索引情報として、前記生体モニタ情報を検索するためのＵＲＬが設定されていることを特徴とする。
【００１９】
本発明の請求項５に記載の生体モニタ情報の登録・表示システムは、前記生体信号に付加するコメントは、フリーテキストで入力すること、予め登録されているコメントから選択すること、もしくは予め登録されているコメントを選択してその一部をフリーテキストで修正ないし追加することにより、作成することができるように設定されていることを特徴とする。
【００２０】
本発明の請求項６に記載の生体モニタ情報の登録・表示システムは、前記生体モニタ情報は、前記コメントに加えて、緊急性を示す重要度を登録することができるように設定されていることを特徴とする。
【００２１】
本発明の請求項７に記載の生体モニタ情報の登録・表示システムは、前記生体モニタ情報は、登録されている生体モニタ情報の日時、コメント、患者名等のインデックスを使用して検索することができるように設定されていることを特徴とする。
【発明の効果】
【００２２】
以上の説明から明らかなように、本発明の請求項１に記載の生体モニタ情報の登録・表示システムによれば、リアルタイムで測定される患者の生体信号に対し、任意のタイミングで前記生体信号の一部を指定して、これにコメントを付加して登録することができると共に、登録された生体信号に関するデータを任意のタイミングにおいて所要の情報端末装置により場所等に制約されずに表示することができるようにコンピュータネットワークを構築して、生体情報モニタシステムとしての機能の向上を容易に達成することができる。
【００２３】
本発明の請求項２ないし４に記載の生体モニタ情報の登録・表示システムによれば、メールアドレスを指定して、登録した生体モニタ情報を特定の医師等へ迅速かつ確実に送信し、参照し得るようにして、生体情報モニタシステムとしての機能の向上を達成することができる。
【００２４】
本発明の請求項５に記載の生体モニタ情報の登録・表示システムによれば、生体信号の波形データに容易にコメントを付加することができ、簡単でしかも迅速にコメントを登録することができる。
【００２５】
本発明の請求項６に記載の生体モニタ情報の登録・表示システムによれば、緊急性の有無が容易に判別できる。
【００２６】
本発明の請求項７に記載の生体モニタ情報の登録・表示システムによれば、登録された生体モニタ情報を、簡便かつ容易に検索して表示することができ、生体情報モニタシステムとしての機能の向上に資する効果は極めて大きい。
【発明を実施するための最良の形態】
【００２７】
次に、本発明に係る生体モニタ情報の登録・表示システムの実施例につき、添付図面を参照しながら以下詳細に説明する。
【００２８】
図１は、本発明に係る生体モニタ情報の登録・表示システムの一実施例を示す概略ブロック系統図である。すなわち、図１において、参照符号１０Ａ、１０Ｂは生体情報としての生体信号をそれぞれ検出するセンサで構成される生体信号検出器であって、それぞれ患者のベッドサイドにおいて心電図や脈波等の生体信号を測定するための電極ないしはプローブで構成される。参照符号１１Ａ、１１Ｂは、前記生体信号検出器１０Ａ、１０Ｂにより検出測定される生体信号を表示するためのモニタである。そして、これらの生体信号検出器１０Ａ、１０Ｂとモニタ１１Ａ、１１Ｂとにより、それぞれベッドサイドモニタ１２Ａ、１２Ｂが構成され、生体情報を監視する。そして、これらのベッドサイドモニタ１２Ａ、１２Ｂで監視する生体情報は、セントラルモニタ１６において集中監視するように構成されている。
【００２９】
また、参照符号１０ａ、１０ｂ、１０ｃは、それぞれ患者の生体情報としての生体信号をそれぞれ検出するセンサで構成される生体信号検出器であって、それぞれ検出測定される生体信号を、無線送信機１３ａ、１３ｂ、１３ｃを介して送信し、集中型受信機１４において受信して、前記セントラルモニタ１６において患者の生体情報を集中監視するように構成されている。なお、前記生体信号検出器１０ａ、１０ｂ、１０ｃと前記無線送信機１３ａ、１３ｂ、１３ｃとは、それぞれ一体で構成されていてもよい。さらに、前記セントラルモニタ１６と共に、患者の生体情報を監視することができる携帯用情報端末装置１８が設けられている。前記ベッドサイドモニタ１２Ａ、１２Ｂおよび集中型受信機１４から出力される生体信号は、患者名、生体信号の種類毎に日時と共に連続してサーバー２０に保存されている。
【００３０】
従って、前記ベッドサイドモニタ１２Ａ、１２Ｂ、集中型受信機１４、セントラルモニタ１６および携帯用情報端末装置１８は、サーバー２０を介して構築されるコンピュータネットワークにより、従来より公知の生体情報モニタシステムが構成されている。
【００３１】
そして、前記サーバー２０には、パソコン等からなる複数の汎用の情報端末装置２２Ａ、２２Ｂ、２２Ｃおよび携帯用情報端末装置２４Ａ、２４Ｂが接続され、広域の生体情報モニタシステムを構成している。さらに、インターネット３０を介して遠隔地における汎用の情報端末装置３２および携帯用情報端末装置３４と相互にアクセス可能に接続されている。従って、患者の生体情報は、前記各モニタ１２Ａ、１２Ｂ、１６および前記情報端末装置等１８、２２Ａ、２２Ｂ、２２Ｃ、２４Ａ、２４Ｂ、３２、３４で監視される。
【００３２】
しかるに、本発明に係る生体モニタ情報の登録・表示システムは、前記構成からなる生体情報モニタシステムにおいて、前記コンピュータネットワークに接続される前記各モニタ１２Ａ、１２Ｂ、１６は、(1) リアルタイムで測定される生体信号の一部を任意のタイミングで指定すると共にこの指定された生体信号についてコメントを付加する機能と、(2) 前記指定された生体信号の一部とこれに付加されたコメントとを生体モニタ情報としてコンピュータネットワークのサーバーに登録する機能とを、それぞれ備え、また前記情報端末装置等１８、２２Ａ、２２Ｂ、２２Ｃ、２４Ａ、２４Ｂ、３２、３４は、(3) 前記コンピュータネットワークのサーバーに登録された生体モニタ情報をこれに対し付加されたコメントに基づいて検索する機能と、(4) 該検索機能により検索された生体モニタ情報を表示する機能とを、それぞれ備えるように構成されている。
【００３３】
そこで、本発明の具体的な実施例として、登録・表示システムに適用する生体モニタ情報を、患者の心電図を対象とする場合について、前述した図１に示す生体情報モニタシステムの構成を併せ参照しながら、以下詳細に説明する。
【００３４】
図２の（ａ）および（ｂ）は、本発明システムにおける生体モニタ情報（心電図情報）を登録する場合と、登録された心電図情報を表示する場合とを示す、それぞれ動作プログラムのフローチャート図である。まず、図２の（ａ）に示すように、心電図情報を登録する場合には、ベッドサイドモニタ１２Ａ、１２Ｂまたはセントラルモニタ１６によりリアルタイムで測定される心電図波形および関連する生体情報〔図３の（ａ）、（ｂ）参照〕を監視しているユーザー（医師、看護師等）は、登録すべき心電図波形の一部を任意のタイミングで指定する（ＳＴＥＰ−２１）。この登録すべき心電図波形の指定は、前記各モニタ１２Ａ、１２Ｂ、１６に設けられた登録キーを操作するか、あるいは図３の（ａ）、（ｂ）に示す表示画面上に設定された登録スイッチ・ボタンＳＢを操作することによって実行することができる。
【００３５】
なお、図３の（ａ）は、ベッドサイドモニタ１２Ａ、１２Ｂにおける心電図波形および関連する生体情報の表示例を示すものである。また、図３の（ｂ）は、セントラルモニタ１６における複数の患者についての心電図波形および関連する生体情報の表示例を示すものである。
【００３６】
前記登録スイッチ・ボタンＳＢ等の操作による登録すべき心電図波形の指定に際しては、前記登録スイッチ・ボタンＳＢ等の操作時点から、その前後約８秒程度の時間内における心電図波形データが記憶保持される。この場合、図４に示すように、前記指定された心電図波形を画面上に表示して、確認することができる。
【００３７】
登録すべき心電図波形を確認した後、この心電図波形に対するコメントを入力する（ＳＴＥＰ−２２）。前記各モニタ１２Ａ、１２Ｂ、１６の表示画面上には、図４に示すように、心電図波形と共に日時、患者名等が表示されていると共に、前記心電図波形に対するコメントを入力するためのコメント記入欄Ｗ1 、Ｗ2 が設けられている。コメント記入欄Ｗ1 は、フリーテキストでコメントを入力することができるように設定され、またコメント記入欄Ｗ2 は、予め登録されているよく使用するコメントから選択し得ると共に、その一部をフリーテキストで修正ないし追加することができるように設定されている。
【００３８】
なお、コメントの表示例として、予め設定される選択候補としては、次のような記述が挙げられる。
ＶＰＣ（心室性期外収縮）
Ａｆ（心房細動）
ＡＦ（心室粗動）
Ｐacing Ｆairer （ペーシングフェイラー）
Ａ- Ｖ  Ｂlock（房室ブロック）
？（診断不明）
Ｃontrol（正常時波形）
ＷＰＷ（ＷＰＷ症候群）
【００３９】
また、前記コメントと併せて、緊急性の有無が簡単に判別し得るように、重要度に関する記号を入力することができる。重要度の表示例として、次のような記号を使用することができる。
◎（緊急性）
○（至急）
▲（参考）
△（正常データ）
【００４０】
さらに、前記コメントと併せて、登録を行ったユーザー（医師、看護師等）の情報（所属、氏名、ユーザーＩＤ等）を入力することができる。
【００４１】
登録すべき心電図波形に対してコメント等の入力が完了したら、表示画面上に設定された登録ボタンＲを操作することにより、コメント等が付加された心電図波形データが、当該心電図波形が発生した時刻と共に、生体モニタ情報として、サーバー２０に保存される（ＳＴＥＰ−２３）。なお、サーバー２０における生体モニタ情報の登録に際しては、心電図波形データを通常バイナリデータとして登録するが、さらにこのバイナリデータを汎用の画像化処理（例えば、Ｂitmap やＪＰＥＧ等）を行って画像ファイルとして作成し、コメントと共に登録するように設定することもできる。このようにして、生体モニタ情報を登録する。
【００４２】
次に、図２の（ｂ）に示すように、前述した登録作業によりサーバー２０に保存されている生体モニタ情報を参照する場合には、前記各種の情報端末装置等１８、２２Ａ、２２Ｂ、２２Ｃ、２４Ａ、２４Ｂ、３２、３４により、院内、院外もしくは遠隔地等におけるユーザー（医師等）は、まず心電図波形データを表示するためにブラウザを起動し、Ｗｅｂサーバーに接続する（ＳＴＥＰ−２５）。
【００４３】
Ｗｅｂサーバーに接続すると、図５に示すように、表示画面上に生体モニタ情報へアクセスするための入力ウインドウが設定される。ユーザーは、事前に登録設定してあるログイン（ｌｏｇｉｎ）のアカウントと、パスワード（ｐａｓｓｗｏｒｄ）とを入力することにより、生体モニタ情報を表示する表示画面に移行することができる。
【００４４】
そこで、ユーザーは、表示すべき生体モニタ情報について、インデックスリストを画面上に表示して検索を行う（ＳＴＥＰ−２６）。この場合、登録されている生体モニタ情報について、画面上におけるインデックスリストの表示例は、図６に示す通りである。すなわち、図６に示すインデックスリストにおいては、「患者名」、「日時」、「コメント」、「重要度」、ユーザーの情報としての「入力者」等のインデックスが順次リストアップされている。
【００４５】
しかるに、ユーザーは、前記インデックスリストに基づいて、参照すべき生体モニタ情報の検索を行い、指定した生体モニタ情報を画面上に表示して参照することができる（ＳＴＥＰ−２７）。この場合の指定した生体モニタ情報についての、画面上における表示例は、図７に示す通りである。特に、図７に示す生体モニタ情報においては、表示した心電図情報からコメントを「編集」すること、選択した心電図情報を「削除」すること、そして参照した心電図情報を「確認」したことを、それぞれ登録することができるように設定されている。なお、前記「編集」、「削除」、「確認」の機能については、セキュリティおよびプライバシー等の観点から、ユーザー毎に権限を設けて、操作を制限し得るように設定することができる。
【００４６】
また、参照すべき生体モニタ情報の検索に際して、患者のみを指定した場合においては、図８に示すように、指定された患者についての時系列的に登録した生体モニタ情報のリストを画面上に表示するように設定することもできる。
【００４７】
前述の実施例では、リアルタイムで測定される生体信号の一部を任意のタイミングで指定すると共に、この指定された生体信号についてコメントを付加する機能と、指定された生体信号の一部とこれに付加されたコメントとを生体モニタ情報としてコンピュータネットワークのサーバーに登録する機能とを、前記各モニタ１２Ａ、１２Ｂ、１６に備えたが、該各モニタに代えて、前記情報端末装置等１８、２２Ａ、２２Ｂ、２２Ｃ、２４Ａ、２４Ｂ、３２、３４に前記両機能を備えてもよい。また、前記各モニタおよび前記情報端末装置等の両方に前記両機能を備えてもよい。
【００４８】
また、前述の実施例では、コンピュータネットワークのサーバーに登録された生体モニタ情報を、これに対し付加されたコメント等に基づいて検索する機能と、該検索機能により検索された生体モニタ情報を表示する機能とを、前記情報端末装置等１８、２２Ａ、２２Ｂ、２２Ｃ、２４Ａ、２４Ｂ、３２、３４に備えたが、前記各モニタ１２Ａ、１２Ｂ、１６にも当該機能を備えてもよい。
【００４９】
以上の実施例においては、生体モニタ情報を不特定のユーザー（医師等）が参照し得るように登録する場合について説明したが、登録された生体モニタ情報を特定のユーザー（医師等）の情報端末装置に表示し得るように設定することも可能である。すなわち、この場合、医師や看護師等の生体モニタ情報を登録する者が登録に際して、前記特定ユーザーの情報端末装置のアドレスを入力することにより、メールサーバーもしくはＷｅｂサーバーを介して、前記特定ユーザーの情報端末装置に、前記登録された生体モニタ情報が送信され、前記特定ユーザーは登録された生体モニタ情報を確実に受信し参照し得るように構成することができる。
【００５０】
そこで、この場合における本発明システムの一実施態様においては、図１に示す各モニタ１２Ａ、１２Ｂ、１６および情報端末装置等１８、２２Ａ、２２Ｂ、２２Ｃ、２４Ａ、２４Ｂ、３２、３４からなるコンピュータネットワークにおいて、前記各モニタ１２Ａ、１２Ｂ、１６および／または情報端末装置等１８、２２Ａ、２２Ｂ、２２Ｃ、２４Ａ、２４Ｂ、３２、３４は、指定された生体信号の一部と、これに付加されたコメントとからなる生体モニタ情報を、汎用の画像化処理（例えば、Ｂitmap やＪＰＥＧ等）を行って画像ファイルとして作成し、サーバー２０に生体モニタ画像情報として登録し得るように構成されている。サーバー２０は、メールアドレスを割り当てて送信を行うことができるメールサーバーとしても機能するように設定されており、前記各モニタおよび／または情報端末装置等は、メールサーバーにより送信すべき特定のユーザーのメールアドレスを指定して、前記生体モニタ画像情報を、電子メールで添付ファイルとして送信させることができるように構成されている。そして、前記特定のユーザーは、前記情報端末装置等１８、２２Ａ、２２Ｂ、２２Ｃ、２４Ａ、２４Ｂ、３２、３４で、その電子メールを受信して生体モニタ画像情報を表示し参照することができる。なお、この電子メールを受信して生体モニタ画像情報を表示する機能を、前記各モニタ１２Ａ、１２Ｂ、１６にも備えることができる。こうすることにより、生体情報モニタシステムに接続されている全ての端末装置で、所望の生体モニタ情報を受信し、それを表示することができる。
【００５１】
また、本発明システムの別の実施態様においては、図１に示す各モニタ１２Ａ、１２Ｂ、１６および情報端末装置等１８、２２Ａ、２２Ｂ、２２Ｃ、２４Ａ、２４Ｂ、３２、３４からなるコンピュータネットワークにおいて、各モニタ１２Ａ、１２Ｂ、１６および／または情報端末装置等１８、２２Ａ、２２Ｂ、２２Ｃ、２４Ａ、２４Ｂ、３２、３４は、指定された生体信号の一部と、これに付加されたコメントとからなる生体モニタ情報を、前述の実施態様と同様に、画像化処理を行って画像ファイルとして作成し、サーバー２０に生体モニタ画像情報として登録し得るように構成されている。サーバー２０は、メールアドレスを割り当てて送信を行うことができるメールサーバーおよびＵＲＬ（Ｕniform  Ｒesource Ｌocator）を割り当てて送信を行うことができるＷｅｂサーバーとしても機能するように設定されており、前記各モニタおよび／または前記情報端末装置等は、前記生体モニタ情報を検索するための索引情報をメールサーバーに登録し、該メールサーバーにより、送信すべき特定のユーザーのメールアドレスを指定して、前記索引情報を電子メールで送信させるように構成されている。そして、前記特定のユーザーは、前記情報端末装置等１８、２２Ａ、２２Ｂ、２２Ｃ、２４Ａ、２４Ｂ、３２、３４でその電子メールを受信し、前記索引情報を使用して前記Ｗｅｂサーバーにアクセスして、前記生体モニタ画像情報を表示し参照することができる。なお、この電子メールを受信し索引情報を使用して生体モニタ情報を受信して表示する機能は、前記各モニタ１２Ａ、１２Ｂ、１６にも備えることができる。こうすることにより、生体情報モニタシステムに接続されている全ての端末装置で、所望の生体モニタ情報を受信し、それを表示することができる。
【００５２】
前記索引情報は、前記生体モニタ画像情報と関連付けたＵＲＬとして設定することができる。また、前記生体モニタ情報と関連付けた「日時」、「患者名」等でもよい。
【００５３】
前述の全ての実施例では、リアルタイムで測定される生体信号を、コメントを付加して登録することができるように構成したが、サーバー２０に保存されている所望の生体信号を、コメントを付加して登録することができるように構成してもよい。この場合、患者名、生体信号の種類、日時で所望の生体信号を検索して表示し、図２の（ａ）で詳述したように、コメントを付加して生体モニタ情報としてサーバー２０に登録し得るように構成することができる。
【００５４】
以上、本発明の好適な実施例として心電図についての生体モニタ情報の登録・表示システムについて説明したが、本発明は生体モニタ情報として心電図に限定されることなく、その他各種の生体信号についてのモニタ情報にも適用し得るものであり、その他本発明の精神を逸脱しない範囲内において多くの設計変更を行うことができることは勿論である。
【図面の簡単な説明】
【００５５】
【図１】本発明に係る生体モニタ情報の登録・表示システムのシステム構成の概略を示すブロック系統図である。
【図２】本発明に係る生体モニタ情報の登録・表示システムの動作プログラムの一実施例を示すものであって、（ａ）は測定された生体モニタ情報の登録プログラムのフローチャート図、（ｂ）は登録された生体モニタ情報の参照プログラムのフローチャート図である。
【図３】本発明に係る生体モニタ情報の登録・表示システムにおいて、リアルタイムの生体信号を登録する場合のモニタにおける画面上の表示例であって、（ａ）はベッドサイドモニタによる画面上の表示例を示す説明図、（ｂ）はセントラルモニタによる画面上の表示例を示す説明図である。
【図４】本発明に係る生体モニタ情報の登録・表示システムにおいて、リアルタイムの生体信号を登録する場合のモニタにおける登録を指定した画面上でコメントを入力する場合の表示例を示す説明図である。
【図５】本発明に係る生体モニタ情報の登録・表示システムにおいて、登録された生体モニタ情報を表示する場合の情報端末装置等における、サーバーへアクセスするための画面上の表示例を示す説明図である。
【図６】本発明に係る生体モニタ情報の登録・表示システムにおいて、登録した生体モニタ情報を表示する場合の情報端末装置等における、生体モニタ情報を検索するためのインデックスリストの画面上の表示例を示す説明図である。
【図７】本発明に係る生体モニタ情報の登録・表示システムにおいて、登録した生体モニタ情報を表示する場合の情報端末装置等における、インデックスリストに基づいて検索された生体モニタ情報の画面上の表示例を示す説明図である。
【図８】本発明に係る生体モニタ情報の登録・表示システムにおいて、登録した生体モニタ情報を表示する場合の情報端末装置等における、患者を指定して検索された生体モニタ情報の画面上の表示例を示す説明図である。
【符号の説明】
【００５６】
１０Ａ、１０Ｂ  生体信号検出器
１０ａ、１０ｂ、１０ｃ  生体信号検出器
１１Ａ、１１Ｂ  モニタ
１２Ａ、１２Ｂ  ベッドサイドモニタ
１３ａ、１３ｂ、１３ｃ  無線送信機
１４  集中型受信機
１６  セントラルモニタ
１８  携帯用情報端末装置
２０  サーバー
２２Ａ、２２Ｂ、２２Ｃ  汎用の情報端末装置
２４Ａ、２４Ｂ  携帯用情報端末装置
３０  インターネット
３２  汎用の情報端末装置
３４  携帯用情報端末装置
ＳＢ  登録スイッチ・ボタン
Ｗ1 、Ｗ2   コメント記入欄
Ｒ  登録ボタン
【図１】
2005095469.tif 000003
【図２】
2005095469.tif 000004
【図３】
2005095469.tif 000005
【図４】
2005095469.tif 000006
【図５】
2005095469.tif 000007
【図６】
2005095469.tif 000008
【図７】
2005095469.tif 000009
【図８】
2005095469.tif 000010